(57)【特許請求の範囲】
【請求項１】
植木鉢の支柱構造であって、
各々の軸方向に対して直角方向の断面の位置がほぼ正方形の四隅に位置し、且つ各々の軸方向が互いにほぼ平行となるように配置された４本の支柱と、
前記支柱の各々の軸方向に対してほぼ直角をなす平面と前記支柱の各々との交点の位置において前記支柱の各々に固定された接続ピースと、
前記接続ピースの各々の両端部に対して回動自在に接続され、隣接する前記支柱の各々を相互に連結する連結棒とを備え、
前記接続ピースは、
前記支柱の各々の先端に位置する第１接続ピースと、
前記支柱の各々の中間に位置する第２接続ピースと、
前記第２接続ピースの各々に対して、前記支柱の各々の後端側に位置する第３接続ピースとからなり、
前記第１接続ピース、前記第２接続ピース及び前記第３接続ピースの各々は、
前記支柱に固定するための固定手段と、
前記固定手段に一体的に接続され、前記支柱に沿うように曲げられた棒形状の支持体と、
前記支持体の両端側に取り付けられた突起体とからなり、
前記連結棒は、
前記第１接続ピースの各々に対して接続される第１連結棒と、
前記第２接続ピースの各々に対して接続される第２連結棒と、
前記第３接続ピースの各々に対して接続される第３連結棒とからなり、
前記第１連結棒、前記第２連結棒及び前記第３連結棒の各々は、
棒形状を有する棒状体と、
前記棒状体の両端に接続され、対応する前記突起体の各々に脱着自在に嵌合し、前記突起体の各々の軸方向を中心として回動自在となるリング体とからなり、
前記第１接続ピースの前記支持体の軸方向長さは前記第２接続ピースの前記支持体の軸方向長さより大きく、前記第２接続ピースの前記支持体の軸方向長さは前記第３接続ピースの前記支持体の軸方向長さより大きく設定されており、
前記第１連結棒の前記棒状体の軸方向長さ、前記第２連結棒の前記棒状体の軸方向長さ及び前記第３連結棒の前記棒状体の軸方向長さは各々等しい、植木鉢の支柱構造。
【請求項２】
前記固定手段は、前記支柱の各々の先端に脱着自在に被せることができるキャップを含む、請求項１記載の植木鉢の支柱構造。
【請求項３】
前記固定手段は、前記支柱の各々の中間位置に脱着自在に取り付けることができる、平面視Ｕ字形状のバンド状の固定部材を含む、請求項１記載の植木鉢の支柱構造。
【発明の詳細な説明】
【０００１】
【発明の属する技術分野】
この発明は植木鉢の支柱構造に関し、特に小学校の教材に用いられる植木鉢の支柱構造に関するものである。
【０００２】
【従来の技術】
図７は実用新案登録第３０６５９１８号公報に開示されている教材用植木鉢の支柱用支持枠の概略構造を示した斜視図である。
【０００３】
図を参照して、植木鉢６１の開口縁６２に設けられた差込穴６３ａ〜差込穴６３ｄに差込んで固定される４本の支柱６５ａ〜支柱６５ｄを連結支持する、教材用植木鉢の支持枠６７、支持枠７１及び支持枠７２が設けられている。支持枠６７は、相対向する２対の支柱６５ａ，支柱６５ｂ及び支柱６５ｃ，支柱６５Ｄをそれぞれ差込穴６３ａ〜差込穴６３ｄの間隔に固定する平行な一対の固定枠６８ａ，固定枠６８ｂと、この固定枠６８ａ，固定枠６８ｂの隣接する端部相互を上下動自在に連結する一対の揺動枠６９ａ，揺動枠６９ｂとからなる。
【０００４】
一方の固定枠６８ａで連結した一対の支柱６５ａ，支柱６５ｄを、他方の固定枠６８ｂで連結した一対の支柱６５ｂ，支柱６５ｃに揺動枠６９ａ，揺動枠６９ｂを介して折り畳み自在に連結している。使用時には実線の保管、移送状態から２点鎖線のように支持枠６７、支持枠７１及び支持枠７２を展開して、支柱６５ａ〜支柱６５ｄを各々植木鉢６１の差込穴６３ａ〜差込穴６３ｄに差込んで固定する。これによって支柱の組立て作業が極めて容易となるとともに、支柱の支持強度が向上するため使い勝手が良い。
【０００５】
【発明が解決しようとする課題】
上記のような従来の植木鉢の支柱用支持枠では、移送時等は図７の実線状態に支柱用支持枠を折り畳んだ状態で行う。これによって展開状態に比べてかさ容量が低減するが、その場合でも支持枠各々の枠内のスペース等が空間容量となり、移送容量としては無駄となっている。
【０００６】
この発明は上記のような課題を解決するためになされたもので、展開が容易で且つ展開状態が安定するとともに折り畳んだ状態のかさ容量が更に低減された植木鉢の支柱構造を提供することを目的とする。
【０００７】
【課題を解決するための手段】
上記の目的を達成するために、請求項１記載の発明は、植木鉢の支柱構造であって、各々の軸方向に対して直角方向の断面の位置がほぼ正方形の四隅に位置し、且つ各々の軸方向が互いにほぼ平行となるように配置された４本の支柱と、支柱の各々の軸方向に対してほぼ直角をなす平面と、支柱の各々との交点の位置において支柱の各々に固定された接続ピースと、接続ピースの各々の両端部に対して回動自在に接続され、隣接する支柱の各々を相互に連結する連結棒とを備え、接続ピースは、支柱の各々の先端に位置する第１接続ピースと、支柱の各々の中間に位置する第２接続ピースと、第２接続ピースの各々に対して、支柱の各々の後端側に位置する第３接続ピースとからなり、第１接続ピース、第２接続ピース及び第３接続ピースの各々は、支柱に固定するための固定手段と、固定手段に一体的に接続され、支柱に沿うように曲げられた棒形状の支持体と、支持体の両端側に取り付けられた突起体とからなり、連結棒は、第１接続ピースの各々に対して接続される第１連結棒と、第２接続ピースの各々に対して接続される第２連結棒と、第３接続ピースの各々に対して接続される第３連結棒とからなり、第１連結棒、第２連結棒及び第３連結棒の各々は、棒形状を有する棒状体と、棒状体の両端に接続され、対応する突起体の各々に脱着自在に嵌合し、突起体の各々の軸方向を中心として回動自在となるリング体とからなり、第１接続ピースの支持体の軸方向長さは第２接続ピースの支持体の軸方向長さより大きく、第２接続ピースの支持体の軸方向長さは第３接続ピースの支持体の軸方向長さより大きく設定されており、第１連結棒の棒状体の軸方向長さ、第２連結棒の棒状体の軸方向長さ及び第３連結棒の棒状体の軸方向長さは各々等しいものである。
【０００８】
このように構成すると、支柱の各々は３ヶ所で相互に連結されるとともに、対向する支柱同士をそれらの軸方向において互いに反対方向に力を加えると、それらは接近しながら軸方向に相対的に移動する。又、接続ピースに対して連結棒が脱着自在に取り付けられるとともに、展開時の各支柱の間隔は後端から先端に向かうにつれて広がる。
【００１３】
請求項２記載の発明は、請求項１記載の発明の構成において、固定手段は、支柱の各々の先端に脱着自在に被せることができるキャップを含むものである。
【００１４】
このように構成すると、支柱の先端部同士が連結される。
【００１５】
請求項３記載の発明は、請求項１記載の発明の構成において、固定手段は、支柱の各々の中間位置に脱着自在に取り付けることができる平面視Ｕ字形状のバンド状の固定部材を含むものである。
【００１６】
このように構成すると、固定部材は支柱の軸方向に対して直角方向から取付けることができる。
【００１９】
【発明の効果】
以上説明したように、請求項１記載の発明は、支柱の各々が互いに接近し、且つそれらの上を連結棒の各々が沿った状態に折り畳むことが可能となる。これによって不使用時に占める容積がコンパクトになり、保管、移送等を効率的に行なうことができる。又、支柱の各々は３ヶ所で相互に連結されるため、安定した使用状態が確保されるとともに、不使用時の折り畳みの際の形状変化を阻害することはない。更に、接続ピースに対して連結棒が脱着自在に取り付けられるため、まず接続ピースを支柱に取り付けた後連結棒を取り付ければよい。そのため支柱構造の全体の組立てが容易となる。更に、展開時の各支柱の間隔は後端から先端に向かうにつれて広がるため、使用時の外観印象が向上する。
【００２１】
請求項２記載の発明は、請求項１記載の発明の効果に加えて、支柱の先端部同士が連結されるため、支柱構造の全体が安定する。
【００２２】
請求項３記載の発明は、請求項１記載の発明の効果に加えて、固定部材は支柱の軸方向に対して直角方向から取付けることができるため、支柱全体の組立てが容易となる。
【００２４】
【発明の実施の形態】
図１はこの発明の第１の実施の形態による植木鉢の支柱構造の概略構造を示した斜視図であり、図２は図１で示した“Ｘ”部分の拡大図であり、図３は図１で示した“Ｙ”部分の拡大図である。
【００２５】
これらの図を参照して、植木鉢の支柱構造１１を構成する４本の支柱１３ａ〜支柱１３ｄは、展開状態において各々の軸方向に対して直角方向の断面の位置がほぼ正方形の四隅に位置し、且つこれらの軸方向が互いにほぼ平行となるように配置されている。そして支柱１３ａ〜支柱１３ｄの各々の軸方向に対してほぼ直角をなす平面との交点であって、支柱１３ａ〜支柱１３ｂの先端位置に第１接続ピース１６ａ〜第１接続ピース１６ｄの各々が取り付けられている。
【００２６】
そして第１接続ピース１６ａ〜第１接続ピース１６ｄの各々の両端部に対して、第１連結棒１５ａ〜第１連結棒１５ｄの各々が回動自在に接続されている。すなわち、第１連結棒１５ａは、隣接する支柱１３ａ，支柱１３ｄを第１接続ピース１６ａ，第１接続ピース１６ｄを介して相互に連結している。又、第１連結棒１５ｂは、隣接する支柱１３ａ，支柱１３ｂを第１接続ピース１６ａ，第１接続ピース１６ｂを介して相互に連結している。同様に第１連結棒１５ｃ及び第１連結棒１５ｄの各々は隣接する支柱１３ｂ及び支柱１３ｃ並びに支柱１３ｃ及び支柱１３ｄを各々連結している。
【００２７】
具体的には、第１接続ピース１６ａは図２に示されているように第１接続ピース１６ａを支柱１３ａに固定するためにその先端に脱着自在に被せることができる固定手段たるキャップ２６と、キャップ２６に一体的に接続され、支柱１３ａの外面に沿うように曲げられた棒形状の支持体２５と、支持体２５の両端側に取り付けられた一対の突起体２８ａ，突起体２８ｂとから構成されている。
【００２８】
一方、第１連結棒１５ａは棒形状を有する棒状体３１と、棒状体３１の両端に接続され、第１接続ピース１６ａの突起体２８ａに脱着自在に嵌合し、突起体２８ａの軸方向を中心として回動自在となるリング体３２（他方は図示せず）とから構成されている。同様に第１連結棒１５ｂも、棒状体３４と棒状体３４の両端に接続されるリング体３５（他方は図示せず）とから構成され、第１接続ピース１６ａの突起体２８ｂに脱着自在に嵌合され、突起体２８ｂの軸方向を中心として回動自在に接続されている。
【００２９】
このようにして第１連結棒１５ａ〜第１連結棒１５ｄの各々は、第１接続ピース１６ａ〜第１接続ピース１６ｄの各々に対して図２で２点鎖線や矢印で示した方向に回動自在に連結されることになる。
【００３０】
図１に戻って、支柱１３ａ〜支柱１３ｄの各々の中間においてそれらの軸方向に対してほぼ直角をなす平面との交点の位置に第２接続ピース１９ａ〜第２接続ピース１９ｄの各々が取り付けられている。第２接続ピース１９ａと第２接続ピース１９ｂとは第２連結棒１８ｂによって、第２接続ピース１９ｂと第２接続ピース１９ｃとの間は第２連結棒１８ｃによって、第２接続ピース１９ｃと第２接続ピース１９ｄとの間は第２連結棒１８ｄによって、第２接続ピース１９ｄと第２接続ピース１９ａとの間は第２連結棒１８ａによって、各々回動自在に連結されている。
【００３１】
第２接続ピース１９ａ及び第２連結棒１８ａ，第２連結棒１８ｂの具体的な構造は図３に示されているように基本的には図２で示された第１接続ピース１６ａ及び第１連結棒１５ａ，第１連結棒１５ｂの構造と同様である。すなわち、第２連結棒１８ａは棒状体４０とリング体４１とから構成され、リング体４１は第２接続ピース１９ａを構成する支持体３７の一方端部に取り付けられた突起体３９ａと脱着自在に嵌合し、且つ突起体３９ａの軸方向回りに回動自在に接続される。
【００３２】
同様に第２連結棒１８ｂは棒状体４３とリング体４４とから構成され、第２接続ピース１９ａを構成する支持体３７の他方端部に取り付けられた突起体３９ｂに対して回動自在に連結される。尚、第２接続ピース１９ａの支柱１３ａに対する固定手段たる固定部材３８は平面視Ｕ字形状のバンド状をしており、これに支持体３７が一体的に接続されている。
【００３３】
これによって第２接続ピース１９ａについては、支柱１３ａに対してその軸方向に対して直角方向から固定部材３８を支柱１３ａに容易に脱着させることが可能となる。このように構成することによって第２連結棒１８ａ〜第２連結棒１８ｄの各々は、支柱１３ａ〜支柱１３ｄに固定されている第２接続ピース１９ａ〜第２接続ピース１９ｄに対して、図３における２点鎖線や矢印で示したように回動自在に連結されることになる。
【００３４】
図１に戻って、支柱１３ａ〜支柱１３ｄの各々の後端側の位置であって、これらの軸方向に対してほぼ直角をなす平面との交点の位置において第３接続ピース２２ａ〜第３接続ピース２２ｄが取り付けられている。そして第３接続ピース２２ａと第３接続ピース２２ｂとの間には第３連結棒２１ｂが、第３接続ピース２２ｂと第３接続ピース２２ｃとの間には第３連結棒２１ｃが、第３接続ピース２２ｃと第３接続ピース２２ｄとの間には第３連結棒２１ｄが、第３接続ピース２２ｄと第３接続ピース２２ａとの間には第３連結棒２１ａが各々回動自在に連結されている。
【００３５】
第３接続ピース２２ａ及び第３連結棒２１ｂの構造は図３で示したものと基本的には同一である。従って第３連結棒２１ａ〜第３連結棒２１ｄの各々は、第３接続ピース２２ａ，第３接続ピース２２ｄの各々に対して、図３で示した２点鎖線や矢印で示すように回動自在に連結されることになる。
【００３６】
尚、図３で示した支持体３７のＬ寸法に対して、図２の支持体２５のＫ寸法はやや大きく設定されている。又、図３のＬ寸法に相当する第３接続ピース２２ａの寸法はＬ寸法よりやや小さく設定されている。そして第１連結棒１５ａ〜第１連結棒１５ｄの各々の長さと、第２連結棒１８ａ〜第２連結棒１８ｄの各々の長さと、第３連結棒２１ａ〜第３連結棒２１ｄの各々の長さとは、すべて同じに設定されている。
【００３７】
従って、この実施の形態における植木鉢の支柱構造１１においては、支柱１３ａ〜支柱１３ｄの各々は下端部から上端部に向かってやや広がるように配置されることになる。これによって植木鉢の支柱構造１１を図示しない植木鉢に設置した際に、植木鉢の支柱構造１１の使用時の外観印象を向上している。
【００３８】
次に図１で示した植木鉢の支柱構造１１の展開状態からこれを折り畳んだ場合の変化について説明する。
【００３９】
図４は図１に示した状態から支柱を折り畳みかけた状態を示した斜視図であり、図５は支柱を完全に折り畳んだ状態を示す斜視図である。
【００４０】
図４を参照して、図１に示した状態から対向する支柱１３ａ，支柱１３ｃに対してはその軸方向において上方に移動させるように力を加える。一方、他の対向する支柱１３ｂ，支柱１３ｄに対してはその軸方向において下方に移動させるように力を加える。この時上述のように第１連結棒１５、第２連結棒１８及び第３連結棒２１は、各々第１接続ピース１６ａ〜第１接続ピース１６ｄ、第２接続ピース１９ａ〜第２接続ピース１９ｄ及び第３接続ピース２２ａ〜第３接続ピース２２ｄに対して回動自在に連結されている。
【００４１】
そのため、支柱１３ａ〜支柱１３ｄの各々に生じた矢印方向の移動に対して、これを阻害するような力は生じず、図のように全体が変形する。すなわち、第１連結棒１５ａ，第１連結棒１５ｄは、これらがＶの字をなすように第１接続ピース１６ａ、第１接続ピース１６ｃ及び第１接続ピース１６ｄとの接続状態が変化する。
【００４２】
同様に第１連結棒１５ｂ及び第１連結棒１５ｃもＶの字形状をなすように、これらの接続状態が変化する。そして第２連結棒１８及び第３連結棒２１も同様にその接続状態が変化する。そして、支柱１３ａ〜支柱１３ｄの各々はそれらの軸方向に対する移動に伴い、第１連結棒１５、第２連結棒１８及び第３連結棒２１の変化によって相互に接近するようにも移動する。更に支柱１３ａ〜支柱１３ｄの移動が進みその最終位置まで移動すると、図５に示した状態に植木鉢の支柱構造１１は変化する。又、図６は図５に示した折り畳んだ状態の最上部の状態を示した拡大斜視図である。
【００４３】
これらの図に示されているように植木鉢の支柱構造１１が完全に折り畳まれると、支柱１３ａと支柱１３ｃとは互いに接するように接近する。これに伴って支柱１３ａの先端に取り付けられた第１接続ピース１６ａに連結する第１連結棒１５ａ，第１連結棒１５ｂの各々は、支柱１３ａに沿うように下方に伸びる。
【００４４】
同様に支柱１３ｃの先端に取り付けられた第１接続ピース１６ｂに連結する第１連結棒１５ｃ，第１連結棒１５ｄの各々も、支柱１３ｃに沿うように下方に伸びる。そして第１連結棒１５ａ，第１連結棒１５ｄの下方に連結する支柱１３ｄと、第１連結棒１５ｂ，第１連結棒１５ｃの下方に接続する支柱１３ｂとも各々接近し、支柱１３ａ，支柱１３ｃに沿うように位置する。
【００４５】
すなわち、その位置から支柱１３ａ，支柱１３ｄの各々は互いに１３ａ，支柱１３ｃに接するような状態で下方に伸びることになる。そして第２連結棒１８ａ〜第２連結棒１８ｄの各々も、支柱１３ａ〜支柱１３ｄの各々に沿うように下方に伸びるように移動する。同様に第３連結棒２１ａ〜第３連結棒２１ｄの各々も、支柱１３ａ〜支柱１３ｄの各々に沿うように下方に伸びるように移動する。
【００４６】
このように植木鉢の支柱構造１１は完全に折り畳まれると、支柱１３ａ〜支柱１３ｄの各々は相互に接近して一体化し、それらの回りに第１連結棒１５、第２連結棒１８及び第３連結棒２１の各々が沿うように移動する。従って、植木鉢の支柱構造１１の折り畳んだ状態のかさ容量は更に低減される。すなわち、この状態での保管や移送時における支柱構造の占有容積は極めて小さくなり、効率的な折り畳み状態となる。
【００４７】
この状態から図１に示す使用状態への展開は、図４で示した矢印の方向とは逆方向に支柱１３ａ〜支柱１３ｄの各々に力を加えるだけでよい。これによって直ちに図５の状態から図１の状態に変化する。そして支柱１３ａ〜支柱１３ｄの各々の下方端は図７の従来例のように植木鉢に差込まれて固定される状態となるため、支柱１３ａ〜支柱１３ｄの各々は軸方向にもはや移動する恐れはない。そのため、図４に示すような状態に植木鉢の支柱構造１１は変化することなく、安定した展開状態を保つことが可能となる。
【００４９】
又、上記の実施の形態では、支柱は４本としているが、支柱はｎを自然数として（４＋２×ｎ）本であっても良い。この場合、１本おきの支柱同士の一方と他方とをそれらの軸方向において互いに反対方向に力を加えると、それらは接近しながら相対的に移動する。そして、それらの支柱の上を連結棒の各々が沿った状態に折り畳むことが可能となる。
【００５０】
更に、上記の実施の形態では、接続ピースの突起体と連結棒のリング体とで回動構造を形成しているが、他の構造による回動構造であっても良い事は言うまでもない。また、突起体を連結棒に設け、リング体を接続ピースに設けるように構成しても良い。
【００５１】
更に、上記の実施の形態では、最上部の接続ピースにはキャップを固定手段として用いているが、これに代えて他の位置における平面視Ｕ字形状のバンド状の固定部材を用いても良いことは言うまでもない。
【図面の簡単な説明】
【図１】この発明の第１の実施の形態による植木鉢の支柱構造の展開状態の概略形状を示した斜視図である。
【図２】図１で示した“Ｘ”部分の拡大図である。
【図３】図１で示した“Ｙ”部分の拡大図である。
【図４】図１で示した展開状態から折り畳む途中の状態を示した斜視図である。
【図５】図４で示した展開途中から完全に折り畳んだ状態を示した斜視図である。
【図６】図５で示した折り畳み状態の植木鉢の支柱構造の最上部の概略形状を示した拡大斜視図である。
【図７】従来の植木鉢の支柱用支持枠の概略構造を示した斜視図である。
【符号の説明】
１１…植木鉢の支柱構造
１３…支柱
１５…第１連結棒
１６…第１接続ピース
１８…第２連結棒
１９…第２接続ピース
２１…第３連結棒
２２…第３接続ピース
２５，３７…支持体
２６…キャップ
２８，３９…突起体
３１，３４，４０，４３…棒状体
３２，３５，４１，４４…リング体
３８…固定部材
尚、各図中同一符号は同一又は相当部分を示す。
【図１】
0003834491.tif 000002
【図２】
0003834491.tif 000003
【図３】
0003834491.tif 000004
【図４】
0003834491.tif 000005
【図５】
0003834491.tif 000006
【図６】
0003834491.tif 000007
【図７】
0003834491.tif 000008